(57)【特許請求の範囲】
【請求項１】
シャトルコックの最大外周径より大きい内径を備えた所定長さの筒部で、下方開口部分にシャトルコックの頭部が露出し羽根先端部分が係止される大きさの取出部を設けたシャトルコック収納部を複数備え、各筒部を下端が同一位置になるように束ねると共に、各シャトルコック収納部の取出部を、頭部が露出するシャトルコックの露出方向が筒部の束ねた中心に向かって傾斜し、或いは束ね中心に集束する螺旋方向に傾斜して複数のシャトルコック頭部が近接する形状に取出部を形成したシャトルコック収納体を備えてなることを特徴とする練習用シャトルコック保持具。
【請求項２】
シャトルコック収納体のうちの一筒体の外周面長手方向に密着する適宜長さの板状のベース部に、両端部がベース部の上下端に連結され且つ長さ調整可能とした肩帯、及びベース部の下端に連結され且つ長さ調整可能とした腰帯を付設した身体装着体を備え、前記ベース部とシャトルコック収納体の筒部に互いの着脱が可能な連結部を付設してなる請求項１記載の練習用シャトルコック保持具。
【請求項３】
筒部上縁に筒部外周面より突出した鉢巻き部を設けると共に、鉢巻き部の裏面に挿入溝を形成すると共に、筒体下方部に係止突起を突設し、ベース部上端に前記挿入溝と対応する差込部を形成すると共に、ベース部が筒部の表面上を長手方向に移動した際に係止突起が入り込む切欠溝を設けて着脱可能な連結部とした請求項２記載の練習用シャトルコック保持具。
【発明の詳細な説明】
【０００１】
【産業上の利用分野】
本発明は、バドミントンの練習時にノッカーが使用する練習用シャトルコック保持具に関するものである。
【０００２】
【従来の技術】
バドミントンの練習には種々の方法があるが、ノック練習と称してノッカーが速いテンポでシャトルコックをノックし、練習者がこれを打ち返すことが広く行われている。このノック練習に際してノッカーがシャトルを手にする手段として、従前では補助者がノッカーにシャトルを手渡ししていたが、補助者が必要であるため、ノッカーと練習者のみではノック練習が困難であることや、ノッカーと補助者の連携プレイに気を合わせる必要がある等の問題があり、補助者を使用しないシャトルコック取出具の使用が提案されている（特許文献１，２，３）。
【０００３】
特許文献記載のシャトルコック取出具は、シャトルコックの最大外周径より大きい内径を備えた所定長さの筒部で、下方開口部分にシャトルコックの頭部が露出し羽根先端部分が係止される大きさの取出部を設けたシャトルコック収納部を備え、特に特許文献１では、複数のシャトルコック収納部を支柱に枝のように装着しているものである。
【０００４】
また特許文献２，３は、単一のシャトルコック収納部を、支柱に取り出し口を任意高さ及び方向に向けることができるようにしたものである。
【０００５】
【特許文献１】
実開平６−２３５６１号公報。
【特許文献２】
実公平６−４６７５８号公報。
【特許文献３】
特開平９−１１７５３９号公報。
【０００６】
【発明が解決しようとする課題】
ところで前記した従前のシャトルコック収納部を備えた器具は、台座に立設した支柱にシャトルコック収納部を備えており、ノッカーは前記収納部からシャトルコックを取り出しノックを行うものであるが、必ずしもノック位置とシャトル取り出し箇所が対応して使いやすいとは限らないし、台座部分がノッカーの邪魔になる場合もある。
【０００７】
更にコート内でのノック位置を変更すると、それに伴って器具も移動する必要があり、コート内で位置を変えながらのノック練習には逆に不便である。
【０００８】
また前記の従来器具を使用すると、ノック１回毎に１個のシャトルを取り出す必要があり、シャトルの取り出し行動の分だけは必ず時間間隔が生ずる。従ってよりテンポの早いノックを行おうとしてもできない場合もある。
【０００９】
そこで本発明は、複数シャトルの速いテンポの連続ノックが容易にできる新規な練習用シャトルコック保持具を提案したものである。
【００１０】
【課題を解決する手段】
本発明（請求項１）に係る練習用シャトルコック保持具は、シャトルコックの最大外周径より大きい内径を備えた所定長さの筒部で、下方開口部分にシャトルコックの頭部が露出し羽根先端部分が係止される大きさの取出部を設けたシャトルコック収納部を複数備え、各筒部を下端が同一位置になるように束ねると共に、各シャトルコック収納部の取出部を、頭部が露出するシャトルコックの露出方向が筒部の束ねた中心に向かって傾斜し、或いは束ね中心に集束する螺旋方向に傾斜して複数のシャトルコック頭部が近接する形状に取出部を形成したシャトルコック収納体を備えてなることを特徴とするものである。
【００１１】
而して多数のシャトルコックを各筒部の上方開口部から、頭部を下方にして詰め込むと、各筒部内にシャトルコックが多数積層収納されると共に、各最下方のシャトルコックは、頭部がある程度近接して取出部から露出した状態となる。
【００１２】
従って複数のシャトルコックを一回で片手保持でき、手に持ったシャトルコックを次々とノックすることができる。
【００１３】
また本発明（請求項２）に係る練習用シャトルコック保持具は、前記シャトルコック収納体と身体装着体で構成したもので、身体装着体が、シャトルコック収納体のうちの一筒体の外周面長手方向に密着する適宜長さの板状のベース部に、両端部がベース部の上下端に連結され且つ長さ調整可能とした肩帯、及びベース部の下端に連結され且つ長さ調整可能とした腰帯を付設し、前記ベース部とシャトルコック収納体の筒部に互いの着脱が可能な連結部を付設してなるものである。
【００１４】
而してシャトルコック収納体と身体装着体とを連結し、シャトルコック収納体が体の側方に位置して固定されるよう、肩帯を襷に掛け、腰帯をしっかりと締めると、本発明器具はノッカーの身体にしっかりと取りつけられる。
【００１５】
従ってノッカーはコート内のいずれの位置でも、シャトルコック収納体の下端からシャトルコックを順次引き出して自由にノックを行うことができる。
【００１６】
【実施の形態】
次に本発明の実施形態について説明する。実施形態に示したシャトルコック保持具は、複数のシャトルコック収納部を備えたシャトルコック収納体１と、身体装着体２とで構成されているものである。
【００１７】
シャトルコック収納体１は、筒部１１と取出部１２からなるシャトルコック収納部を複数（例示したのは３個）備えたもので、各筒部１１は、シャトルコックＡの最大外周径より大きい内径を備えた所定長さ（約５０センチ前後が適当である）で、筒部１１の上下を帯状の鉢巻き部１３，１４を使用して同一位置で結束したものである。
【００１８】
取出部１２は、筒部１１の下方開口部分にシャトルコックＡの頭部が露出し羽根先端部分が係止される大きさに形成したもので、特に取出部１２は、各筒部１１からシャトルコックＡの頭部が露出する際に、シャトルコックＡの露出方向が筒部１１の束ね中心に集束する螺旋方向に傾斜し又は束ねた中心に向かって傾斜して各シャトルコックＡの頭部が近接するようにしたものである。具体的には筒部１１の内径から取出部１２の開口部までの窄まり形状が、筒部１１の束ね中心に向かうようにしたもので、束ね中心から見た取出部１２の外周開口縁を束ね中心方向に張り出し、筒部１１の束ね中心側では開口縁を筒部１１の内周面に一致させたものである。
【００１９】
更にシャトルコック収納体１は、身体装着体２との連結構造を備えているもので、連結されるべき筒部１１と当接する上方鉢巻き部１３の非当接箇所となる左右裏面に挿入溝１５を形成し、且つ挿入溝１５の下方となる筒部１１の外周面に、左右対称に係止突起１６を設けてなる。
【００２０】
身体装着体２は、筒部１１の外周面に密着する適宜長さ（筒部１１より少し短くしておく）の板状のベース部２１に、スライド用把手２２と、肩帯２３と、腰帯２４を付設したものである。
【００２１】
スライド用把手２２は、後述する連結操作時に使用するもので、邪魔にならない適宜な位置に突設してなる。肩帯２３は、両端部がベース部２１の上下端に連結され且つ長さ調整可能としたものであり、腰帯２３もベース部２１の下端に連結され且つ長さ調整可能としたものである。
【００２２】
更にベース部２１には、上端両側に鉢巻き部１３の裏面の挿入溝１５に差し入れられる差込部２５を形成すると共に、ベース部２１の下方両側には、係止突起１６と対応する切欠溝２６を設けてなる。
【００２３】
而して各筒部１１には、その上方開口部から、シャトルコックＡをその頭部  を下方にして順次詰め込んで、各筒部１１内にシャトルコックＡが多数積層収納するものである。そして最下方に位置する３個のシャトルコックＡの頭部は、傾斜した取出部１２によって束ね中心に向かって露出した状態となる（図５，６参照）。
【００２４】
次にシャトルコックＡを収納したシャトルコック収納体１に、身体装着体２を連結するもので、ベース部２１を所定の筒部１１の外周面に添わせて、スライド用把手２２を持って筒部１１の上方側にスライド移動させると、差込部２５が鉢巻き部１３の裏面（挿入溝）に侵入し、左右の係止突起１６が左右の切欠溝２６内に位置することになるので、身体装着体２のベース部２１は筒部１１から離脱しない状態（連結状態）となる。
【００２５】
そこで身体装着体２を使用してシャトルコック収納体１をノッカーＢの身体に装着固定してバトミントンのノック練習を行うもので、ノッカーＢへの装着は、図３に例示するとおりシャトルコック収納体１がノッカーＢの側方位置で固定されるよう、肩帯２３は襷に掛け、腰帯２４を腰に回して締める。
【００２６】
そしてノッカーＢは、片手（ラケットを握持していない空いてる手）で、３個のシャトルコックＡを持ち、保持したシャトルコックＡを使って次々とノックを行う。即ちノッカーＢは一遍に３個のシャトルコックＡをシャトルコック収納体１から取り出してノックを行うもので、速いテンポでのノックが容易に行えるし、またコート内を移動しながらの連続ノックも容易に行えるものである。
【００２７】
本発明は、前記実施形態に示すような身体装着形式に限定されるものではなく、従前と同様の支柱台座形式に採用しても良いし、更には３個のシャトルコック収納部を束ねたものではなく、２個でも４個でも良い。
【００２８】
【発明の効果】
以上のように本発明は、シャトルコックを積層収納する筒部の下方開口部分に取出部を設けたシャトルコック収納部を複数備えると共に束ね、各シャトルコック収納部の取出部を、頭部が露出するシャトルコックの露出方向が束ね中心に向かって傾斜する取出部を形成した練習用シャトルコック保持具で、ノッカーが複数のシャトルコックを一回で片手保持でき、手に持ったシャトルコックを次々とノックすることで、バドミントンの練習効果を高めることができたものである。
【００２９】
また本発明は、前記のシャトルコック収納体と、肩帯や腰帯を備えた身体装着体とで構成した練習用シャトルコック保持具で、ノッカーが身につけることで、ノッカーはコート内のいずれの位置に移動しても自由にノックを行うことができ、バドミントンの練習効果を高めることができたものである。
【図面の簡単な説明】
【図１】本発明の実施形態の全体斜視図（分離状態）。
【図２】同全体斜視図（連結状態）。
【図３】同使用状態の説明図。
【図４】同シャトルコック保持状態の説明図。
【図５】同取出部の説明図（底面図）。
【図６】同取出部の説明図（正面図）。
【図７】同取出部の説明図（断面図）。
【符号の説明】
１       シャトルコック収納体
１１     筒部
１２     取出部
１３，１４ 鉢巻き部
１５     挿入溝
１６     係止突起
２       身体装着体
２１     ベース部
２２     スライド用把手
２３     肩帯
２４     腰帯
２５     差込部
２６     切欠溝
【図１】
0003897707.tif 000002
【図２】
0003897707.tif 000003
【図３】
0003897707.tif 000004
【図４】
0003897707.tif 000005
【図５】
0003897707.tif 000006
【図６】
0003897707.tif 000007
【図７】
0003897707.tif 000008